(57)【特許請求の範囲】
【請求項１】
前身頃、脇身頃及び後身頃から成り、前記前身頃（２０）が、表布（２１）、防水布（２２）、吸水布（２３）及び裏布（２４）が順に重ねられた４層からなる男性用失禁ショーツであって、
上記表布（２１）及び裏布（２４）は、それぞれ下縁中央部に上向き三角状の切り欠き（２１ａ、２４ａ）を形成し、その表布（２１）及び裏布（２４）の切り欠き（２１ａ、２４ａ）の側縁を縫合して男性陰茎が収まる膨出部（２５）を有するとともに、上記防水布（２２）は前記切り欠きを形成することなくその下縁全長に亘って均一な小さなギャザー（ａ）をいれた立体的な縫合がされて前記膨出部（２５）に沿う膨出部（２５’）を有するものであり、上記吸水布（２３）は、上記切り欠き（２３ａ）を形成することなく、その全周囲の少なくとも一部を裏布（２４）及び防水布（２２）に縫合せずに膨出部を得られるようにしたことを特徴とする男性用失禁ショーツ。
【請求項２】
上記表布（２１）及び裏布（２４）は同一形状であって、上記防水布（２２）は、上記縫合前の側縁の長さ（Ｌ２２）が表布（２１）の側縁の長さ（Ｌ２１）と同一とされているとともに、その上下縁中央間の長さ（Ｌ２２ｃ）が表布（２１）の上下縁中央間の長さ（Ｌ２１ｃ）と同一とされ、さらに、その下縁の長さ（ｌ２２）は前記ギャザー（ａ）をいれるために表布（２１）の下縁の長さ（ｌ２１ａ＋ｌ２１ｂ）より長くしてあることを特徴とする請求項１に記載の男性用失禁ショーツ。
【請求項３】
上記表布（２１）、吸水布（２３）又は裏布（２４）の切り欠き（２１ａ、２３ａ、２４ａ）のそれぞれ側縁の縫合を２本針オーバー縫いとしたことを特徴とする請求項１又は２に記載の男性用失禁ショーツ。
【請求項４】
上記表布（２１）、吸水布（２３）又は裏布（２４）の切り欠き（２１ａ、２３ａ、２４ａ）のそれぞれ側縁の縫合部を、前記表布（２１）、吸水布（２３）又は裏布（２４）で縫合介線（ｃ）に対し左右に異ならせたことを特徴とする請求項３に記載の男性用失禁ショーツ。
【請求項５】
前身頃、脇身頃及び後身頃から成り、前記前身頃（２０）が、表布（２１）、防水布（２２）、吸水布（２３）及び裏布（２４）が順に重ねられた４層からなる男性用失禁ショーツであって、
上記表布（２１）、吸水布（２３）及び裏布（２４）は、それぞれ下縁中央部に上向き三角状の切り欠き（２１ａ、２３ａ、２４ａ）を形成し、その各布（２１、２３、２４）の切り欠き（２１ａ、２３ａ、２４ａ）の側縁を縫合して男性陰茎が収まる膨出部（２５）を有するとともに、上記防水布（２２）は前記切り欠きを形成することなくその下縁全長に亘って均一な小さなギャザー（ａ）をいれた立体的な縫合がされて前記膨出部（２５）に沿う膨出部（２５’）を有するものとし、
上記表布（２１）、吸水布（２３）又は裏布（２４）の切り欠き（２１ａ、２３ａ、２４ａ）のそれぞれ側縁の縫合を２本針オーバー縫いとし、かつ、前記表布（２１）、吸水布（２３）又は裏布（２４）の切り欠き（２１ａ、２３ａ、２４ａ）のそれぞれ側縁の縫合部を、前記表布（２１）、吸水布（２３）又は裏布（２４）で縫合介線（ｃ）に対し左右に異ならせたことを特徴とする男性用失禁ショーツ。
【請求項６】
前身頃、脇身頃及び後身頃から成り、前記前身頃（２０）が、表布（２１、２１１、２１２）、防水布（２２）、吸水布（２３）及び裏布（２４）が順に重ねられた４層からなる男性用失禁ショーツであって、
上記表布（２１、２１１、２１２）及び裏布（２４）は、それぞれ下縁中央部に上向き三角状の切り欠き（２１ａ、２４ａ）を形成し、その表布（２１、２１１、２１２）及び裏布（２４）の切り欠き（２１ａ、２４ａ）の側縁を縫合して男性陰茎が収まる膨出部（２５）を有するとともに、上記防水布（２２）及び吸水布（２３）は前記切り欠きを形成することなくその下縁全長に亘って均一な小さなギャザー（ａ）をいれた立体的な縫合がされて前記膨出部（２５）に沿う膨出部（２５’）を有するものとし、
上記表布（２１、２１１、２１２）、吸水布（２３）又は裏布（２４）の切り欠き（２１ａ、２３ａ、２４ａ）のそれぞれ側縁の縫合を２本針オーバー縫いとし、かつ、前記表布（２１、２１１、２１２）、吸水布（２３）又は裏布（２４）の切り欠き（２１ａ、２３ａ、２４ａ）のそれぞれ側縁の縫合部を、前記表布（２１、２１１、２１２）、吸水布（２３）又は裏布（２４）で縫合介線（ｃ）に対し左右に異ならせたことを特徴とする男性用失禁ショーツ。
【請求項７】
上記表布（２１、２１１、２１２）及び裏布（２４）は同一形状であって、上記防水布（２２）又はその防水布（２２）及び吸水布（２３）は、上記縫合前の側縁の長さ（Ｌ２２）が表布（２１、２１１、２１２）の側縁の長さ（Ｌ２１）と同一とされているとともに、その上下縁中央間の長さ（Ｌ２２ｃ）が表布（２１、２１１、２１２）の上下縁中央間の長さ（Ｌ２１ｃ）と同一とされ、さらに、その下縁の長さ（ｌ２２）は前記ギャザー（ａ）をいれるために表布（２１、２１１、２１２）の下縁の長さ（ｌ２１ａ＋ｌ２１ｂ）より長くしてあることを特徴とする請求項５又は６に記載の男性用失禁ショーツ。
【請求項８】
前身頃、脇身頃及び後身頃から成り、前記前身頃（２０）が、表布（２１）、防水布（２２）、吸水布（２３）及び裏布（２４）が順に重ねられた４層からなる男性用失禁ショーツであって、
上記表布（２１）及び裏布（２４）は、それぞれ下縁中央部に上向き三角状の切り欠き（２１ａ、２４ａ）を形成し、その表布（２１）及び裏布（２４）の切り欠き（２１ａ、２４ａ）の側縁を縫合して男性陰茎が収まる膨出部（２５）を有するとともに、上記防水布（２２）は前記切り欠きを形成することなくその下縁全長に亘って均一な小さなギャザー（ａ）をいれた立体的な縫合がされて前記膨出部（２５）に沿う膨出部（２５’）を有するものとし、上記吸水布（２３）は、上記切り欠きを形成することなく上記膨出部（２５）が前もって形成されたものとし、
上記表布（２１）、吸水布（２３）又は裏布（２４）の切り欠き（２１ａ、２３ａ、２４ａ）のそれぞれ側縁の縫合を２本針オーバー縫いとし、かつ、前記表布（２１）、吸水布（２３）又は裏布（２４）の切り欠き（２１ａ、２３ａ、２４ａ）のそれぞれ側縁の縫合部を、前記表布（２１）、吸水布（２３）又は裏布（２４）で縫合介線（ｃ）に対し左右に異ならせたことを特徴とする男性用失禁ショーツ。
【請求項９】
上記表布（２１）及び裏布（２４）は同一形状であって、上記防水布（２２）は、上記縫合前の側縁の長さ（Ｌ２２）が表布（２１）の側縁の長さ（Ｌ２１）と同一とされているとともに、その上下縁中央間の長さ（Ｌ２２ｃ）が表布２１の上下縁中央間の長さ（Ｌ２１ｃ）と同一とされ、さらに、その下縁の長さ（ｌ２２）は前記ギャザー（ａ）をいれるために表布（２１）の下縁の長さ（ｌ２１ａ＋ｌ２１ｂ）より長くしてあることを特徴とする請求項８に記載の男性用失禁ショーツ。
【発明の詳細な説明】
【技術分野】
【０００１】
この発明は、アンダーパンツ、ブリーフ等の尿吸収性男性用失禁ショーツに関するものである。
【背景技術】
【０００２】
ショーツは、通常、前身頃、脇身頃及び後身頃から成り、男性用として、男性の陰茎を位置決め安定させるために、その陰茎に対応する前身頃の部位を膨出させたものがある（特許文献１、２参照）。その膨出手段は、前身頃生地とは別に膨出用生地を使用したり（特許文献１図５符号５参照）、前身頃生地の下縁中央部に上向き三角状の切り欠きを形成し、その切り欠きの側縁を縫合したりしている（特許文献２各図の符号３、１６、２５参照）。
【０００３】
一方、失禁ショーツは、上記通常のショーツにおいて、その前身頃が表布、防水布、吸水布及び裏布が順に重ねられた４層からなるのが一般的であり、男性用として、上記のように、陰茎に対応する前身頃の部位を膨出させたものがある。
その男性用失禁ショーツにおける上記前身頃の膨出部の一形成手段として、表布及び裏布を左右の片から構成し、その両片を縫合することによって膨出部を形成し（特許文献３段落００２０、図７〜図９参照）、防水布はギャザー寄せによって膨出部を形成し（同文献３段落００２１、図１１参照）、吸水布（パッド）は形状記憶ポリマーのネットを熱プレスにより成型して膨出部を形成している（同文献３段落００１０、同００２２、図１２参照）。
また、他の膨出部形成手段として、吸水布（吸水パット）の下縁中央部に上向き三角状の切り欠きを形成して、その切り欠きの側縁を縫合して膨出部を形成し、その吸収パットを前身頃の表布裏面に縫合された防水布の袋内に収めたものがある（特許文献４段落００１８図１〜図４参照）。
【先行技術文献】
【特許文献】
【０００４】
【特許文献１】特開平６−２００４０１号公報
【特許文献２】特開平８−１００３０２号公報
【特許文献３】実開平７−３１４号公報
【特許文献４】特開２００９−８２２８８号公報
【発明の概要】
【発明が解決しようとする課題】
【０００５】
上記膨出部を有する男性用失禁ショーツにおいて、特許文献３記載のものは、吸水布（層）が熱プレスによるハードな膨らみなので、圧迫感があってフィット感に欠ける。
また、特許文献４の失禁ショーツは、吸水パッドのみが膨出しており、外観が良くないものとなっている。
【０００６】
この発明は、以上の実状に鑑み、外観を損なうことなく、上記膨出部の止水性（尿漏れ防止性）を高めることを課題とする。
【課題を解決するための手段】
【０００７】
上記課題を達成するために、この発明は、まず、特許文献２に記載の一般の男性ショーツのように、前身頃生地を成す表布と裏布の両下縁中央部に上向き三角状の切り欠きを形成し、その切り欠きの側縁を縫合して膨出部を形成することとしたのである。
前身頃生地を成す表布と裏布の両者に膨出部が形成されておれば、外観上は、一般的な男性ショーツと変わりないものとなる。
つぎに、吸水布については、表布等と同様に、下縁中央部に上向き三角状の切り欠きを形成し、その切り欠きの側縁を縫合して膨出部を形成したり、その切り欠きを形成することなく型押しなどによって膨出部を形成したり、薄布の場合は、前記切り欠きを形成することなく下縁をギャザー寄せによって膨出部を形成したり、前記切り欠きを形成することなくその全周囲の少なくとも一部を裏布及び防水布に縫合せずに膨出部を得られるようにしたりする。
さらに、防水布にあっては、通常、薄布であることから、上記切り欠きを形成することなくその下縁全長に亘って均一な小さなギャザーをいれた立体的な縫合を行なって膨らみを持たせることとしたのである。
防水布に切り欠きがなければ、その縫合線部からの尿漏れの恐れはなく、通常、使用者が失禁すると、膨出部内に位置する陰茎先端から尿が放出され、その放出位置は、防水布下縁の縫合線部より上位であるため、その放出された尿は、その下縁縫合線部に至るまでに吸水布によって吸水され、仮に至っても、均一な小さなギャザーをいれた立体的な縫合のため、その縫合部からの尿漏れも殆ど無く、前記放出された尿は防水布によって表布への滲み出し（尿漏れ）が有効に防止される。
【０００８】
以上の考えからなるこの発明の一構成としては、前身頃、脇身頃及び後身頃から成り、前記前身頃が、表布、防水布、吸水布及び裏布が順に重ねられた４層からなる男性用失禁ショーツにおいて、前記表布、吸水布及び裏布は、それぞれ下縁中央部に上向き三角状の切り欠きを形成し、その切り欠きの側縁を縫合して男性陰茎が収まる膨出部を有するとともに、前記防水布は前記切り欠きを形成することなくその下縁全長に亘って均一な小さなギャザーをいれた立体的な縫合がされて前記膨出部に沿う膨出部を有するものとしたのである。
【０００９】
この発明の他の構成としては、上記構成の男性用失禁ショーツにおいて、上記吸水布は、上記切り欠きを形成することなく、その全周囲の少なくとも一部を裏布及び防水布に縫合せずに膨出部を得られるようにしたり、その膨出部が型押し等によって前もって形成されたものとしたり、上記防水布と同一形状としてその下縁全長に亘って均一な小さなギャザーをいれた立体的な縫合がされて膨出部を有するものとしたりすることができる。
すなわち、吸水布は、尿を吸収するため、周囲には尿が至らず、必ずしも全周を縫合する必要がない場合があり、一部（全周も含む）が縫合されていないと、他の布の膨出部に沿う形状になり得るからである。このとき、防水布もギャザーをいれずに吸水布に縫合したパッド状とし得る。
また、吸水布は、通常、織り布や編み布ではなく、不織布等のその作成時に膨出形状を作ったり、型押しによって膨出形状を作ったりし得るため、そのような布（材料）を使用する場合には、表布等と同一の膨出部を前もって有するものを採用することができる。
さらに、吸水布が薄い布で形成する場合は、その各吸水布を防水布と同一形状としてその下縁全長に亘って均一な小さなギャザーをいれた立体的な縫合がされて膨出部を有するものとし得る。
【００１０】
これらの各構成において、上記表布及び裏布は同一形状とし、上記防水布又は吸水布は、上記縫合前の側縁の長さが表布の側縁の長さと同一とされているとともに、その上下縁中央間の長さが表布の上下縁中央間の長さと同一とされ、さらに、その下縁の長さは前記ギャザーをいれるために表布の下縁の長さより長くしてあるものとすることができる。
このように、縫合前の防水布又は吸水布の下縁を表布下縁より長くすることによって、ギャザーをいれても、表布下縁と同一の長さとすることができ、上下縁中央間の長さが表布の上下縁中央間の長さと同一とされていることから、その両布の周囲を縫合した際、両布が全面に沿った膨出部を得ることができる。すなわち、少なくとも、防水布又は吸水布と表布と裏布は縫合後においては同一形状となって相互にフィットした３層（４層）が形成されたものとなるため、外観上優れたものとなる。
【００１１】
上記表布、吸水布又は裏布の切り欠きの側縁縫合は、２本針オーバー縫いとすれば、縫合強度が高く（縫い目が強く）、引張り（ストレッチ）に対して解れ（破断）がないものとなるとともに、縫合介線（図４（ｂ）符号ｃ参照）の隙間が極力小さくなるとともに開きにくくなって尿が漏れ（滲み出し）にくくなる。このとき、その表布、吸水布又は裏布の切り欠きの各側縁の縫合部を、その各布で縫合介線に対し左右に異ならせれば、各縫合介線を介し各布表面を伝って漏れる尿の漏れ距離（沿面距離）も長くなるため、尿漏れしにくくなる。また、その各布の縫合部の厚さ（膨らみ）を抑えることができてフィット感も増す。
【００１２】
これらの構成の男性用失禁ショーツは、使用者が失禁すると、膨出部内に位置する陰茎先端から尿が放出され、その放出位置は、通常、防水布下縁の縫合線部より上位であるため、その放出された尿は、その縫合線部に至るまでに吸水布によって吸水される。このため、前記放出された尿は防水布によって表布への滲み出し（尿漏れ）が有効に防止される。
【発明の効果】
【００１３】
この発明は、以上のように構成し、表布及び裏布に膨出部を形成したので、一般的な男性ショーツと同じ外観を呈し、防水布には膨出部形成用の縫合線部を無くしたので、その縫合線部を介した表布への尿の滲み出しは無くなる。
【図面の簡単な説明】
【００１４】
【図１】この発明の一実施形態の斜視図
【図２】（ａ）は同実施形態の正面図、（ｂ）は同背面図
【図３】同実施形態の前身頃を各構成する各布の正面図であり、（ａ）は表布、（ｂ）は防水布、（ｃ）は吸水布、（ｄ）は裏布
【図４】（ａ）は同前身頃の斜視図、（ｂ）は（ａ）のｂ−ｂ線部分断面図
【図５】同前身頃の各布を切り離した斜視図
【図６】他の実施形態の各布を切り離した斜視図
【図７】（ａ）は他の実施形態の各布を切り離した斜視図、（ｂ）は防水布と吸水布を縫合した斜視図
【図８】他の実施形態の吸水布の斜視図
【図９】他の実施形態の斜視図
【図１０】（ａ）は同実施形態の正面図、（ｂ）は同背面図
【図１１】同実施形態の前身頃を各構成する各布の正面図であり、（ａ）は表布、（ｂ）は防水布、（ｃ）は吸水布、（ｄ）は裏布
【図１２】他の実施形態の斜視図
【発明を実施するための形態】
【００１５】
この発明の一実施形態を図１〜図５に示し、この実施形態の男性用失禁ショーツ１０も、従来と同様に、前身頃、脇身頃及び後身頃から成るが、脇身頃は後身頃と同一の布１１で形成され、その布１１と前身頃２０の両者の下縁の間に股布１２が縫合されている。脇身頃と後身頃を別々の布としても良い。
【００１６】
前身頃２０は、図３、図４に示す、表布２１、防水布２２、吸水布２３、裏布（肌側布）２４の４層からなる。後身頃の布１１、股布１２及び表布２１は、ポリエステル：９０％、ポリウレタン：１０％の伸縮性生地からなり、防水布２２は、ポリエステル：５０％、ポリウレタン：５０％の生地からなり、吸水布２３は、アクリル製不織布からなり、裏布２４は、ポリエステル：１００％のパイル生地からなる。これらの各布１１、１２、２１、２２、２３、２４は、前記各生地に特定されず、その用途に応じて適宜に選択し得る。例えば、防水布２２は、防水性を担保できれば良く、吸水布２３は、特許文献４記載の吸収パット２０の構成とし、裏布２４は、速乾性（水を通した後、後戻りさせない性質）を担保できれば良い。
【００１７】
前身頃２０の表布２１、吸水布２３及び裏布２４は、図３（ａ）、（ｃ）、（ｄ）に示すように、同一形状であって、その下縁中央部に上向き三角状の切り欠き２１ａ、２３ａ、２４ａを形成し、図４（ａ）、（ｂ）に示すように、その切り欠き２１ａ、２３ａ、２４ａの側縁を内側又は外側に折込んでそれぞれ２本針オーバー縫いによって縫合して男性陰茎が収まる膨出部２５を形成する。
【００１８】
この２本針オーバー縫いによる各布２１、２３、２４の切り欠き側縁縫合は、縫い目が強く、引張りに対して破断し難いものとなるとともに、縫合介線ｃの隙間が極力小さくなるとともに開きにくくなって尿が漏れ（滲み出し）にくくなる。また、各布２１、２３、２４の縫合部は、図４（ｂ）に示すように、その縫合介線ｃに対し各布で左右にズレて異なっているため、各縫合介線ｃを介し各布表面を伝って漏れる尿の漏れ距離も長くなるため、尿も漏れにくくなる。また、その各布の縫合部の厚さ（膨らみ）を抑えることができてフィット感も増すものとなっている。各布の縫合部の左右のズレは、２つが同じでもう一方が異なれば、いずれでも、例えば、図４（ｂ）と異なり、表布２１と吸水布２３の縫合部が左、裏布２４の縫合部が右等とし得る。
図３中、鎖線より外側縁が内側又は外側に折込む縫合部分となる（図４（ｂ）参照）。
【００１９】
一方、防水布２２は、図３（ｂ）に示すように、太鼓状とされ、その側縁（縫合部分、以下同じ）の長さＬ２２が表布２１等の側縁の長さＬ２１と同一とされているとともに、その上下縁中央間の長さＬ２２ｃが表布２１等の上下縁中央間の長さＬ２１ｃと同一とされ、さらに、その下縁の長さｌ２２は表布２１等の下縁の長さ（ｌ２１ａ＋ｌ２１ｂ等）より長くしてある。このため、膨出部２５を形成した吸水布２３に防水布２２を重ね（合わせ）、防水布２２の下縁を吸水布２３の下縁にその防水布２２下縁をその全長に亘って均一な小さなギャザーａをいれて寄せて縫合すると(しつけすると）、吸水布２３と防水布２２の周縁が一致して（両布２３、２２の下縁長さ：ｌ２１ａ＋ｌ２１ｂ）吸水布２３の膨出部２５に沿う膨出部２５’が防水布２２にも形成される。このとき、その膨出程度及び下縁寄せ度合を考慮して防水布２２の下縁長さｌ２２を適宜に決定する。例えば、０．７５×ｌ２２＝（ｌ２１ａ＋ｌ２１ｂ）とする。
【００２０】
この後、その防水布２２の表面に表布２１、吸水布２３の裏面に裏布２４をあてがい、図４に示すように、各布２１、２２、２３、２４の周縁を本縫いにより縫合することによって４層の前身頃２０が形成される。このとき、防水布２３の左右縁は撥水テープ（図示せず）によってその縁を包むように挟んで平２本針（片面飾り）で縫合する。
なお、防水布２２は表布２１に先に縫合することもできる。但し、防水布２１を吸水布２３に先に縫合することは、吸水布２３は不織布からできて厚みがあって腰があるため、防水布２２を沿わせ易い利点がある。
また、各布２１、２２、２３、２４は、重なって膨出しその各層両端（例えばｌ２２ｃとｌ２１ｃ）の長さが異なるため、上記及び下記「同一」はその長さズレも含んだ同一とする。
【００２１】
このようにして前身頃２０を形成し、表布２１と同一素材の後身頃布１１及び股布１２をそれらの側縁で縫合し、さらにウエストバンド１４を縫合して、この実施形態の男性用失禁ショーツ１０を得る。このとき、上記前身頃２０の下縁を除く各布周縁の縫合は後身頃布１１及び股布１２の周縁との縫合を兼ねることもできる。
【００２２】
この失禁ショーツ１０は、従来と同様にして使用し、その使用者が失禁すると、膨出部２５、２５’内に位置する陰茎先端から尿が放出され、その放出位置は、通常、防水布２２下縁の縫合線部ａ（図２（ａ）参照）より上位であるため、その放出された尿は、その縫合線部ａに至るまでに吸水布２３によって吸水される。このため、前記放出された尿は防水布２２によって表布２１への滲み出しが有効に防止される。
【００２３】
この実施形態において、吸水布２３が薄い物であれば、切り欠き２３ａを入れずに、防水布２２と同様に、下縁全長に亘って均一な小さなギャザーをいれた立体的な縫合がされて膨出部２５を有するものとし得る。このため、例えば、図６に示すように、吸水布２３をその下縁にギャザーを入れて裏布２４に縫合し、防水布２２はその下縁にギャザーを入れて表布２１に縫合したりする等して膨出部２５’を形成することができる。この実施形態では、表布２１を２枚２１１、２１２として、下層の防水布２２等が透けて見えるのを防止等している。
【００２４】
また、特許文献２に記載のように、防水布２２と吸水布２３を縫合等によって一体したものを吸水パッドとし、その吸水パッドを表布２１と裏布２４の間に介在した構成とすることができる。例えば、図７に示すように、同一形状の防水布２２と吸水布２３（２３１、２３２）を同図（ｂ）のように縫合して吸水パッド２３ｐとし、この吸水パッド２３ｐを表布２１又は裏布２４に縫合したものとし得る。このとき、表布２１等の膨出部２５に吸水パッド２３ｐが沿い易いように、その全周囲の一部、例えば、下縁や側縁等の一部を表布２１及び裏布２４に縫合しないようにすることができる。吸水布２３の枚数（防水布２３１、２３２・・の枚数）は１枚、３枚、４枚等と任意である。
この実施形態において、防水布２２は、図３（ｂ）に示す形状としてその下縁をギャザーａにより寄せて表布２１と同一形状とし、吸水布２３（２３１、２３２）のみを上記その一部を裏布２４等に縫合しないようにするものとし得る。
【００２５】
さらに、吸水布２３は、通常、織り布や編み布ではなく、不織布等のその作成時に膨出形状を作ったり、型押しによって膨出形状を作ったりし得るため、そのような布（材料）を使用する場合には、表布２１、裏布２４の膨出部２５と同一の膨出部２５を前もって有する、図８に示す吸水布２３とすることができる。
【００２６】
この発明は、ブリーフであっても採用でき、その実施形態を図９〜図１１に示す。この実施形態の男性用失禁ショーツ１０１も、上記男性用失禁ショーツ１０と同様に、前身頃、脇身頃及び後身頃から成って、脇身頃は後身頃と同一の布１１で形成されているが、股布１２はなく、前身頃の下縁と後身頃の下縁が直接に縫合されている。
【００２７】
前身頃２０は、図１１に示す、表布２１、防水布２２吸水布２３、裏布（肌側布）２４の４層からなって、その生地も上記と同じである。また、同様に、その表布２１、吸水布２３及び裏布２４は、同図（ａ）、（ｃ）、（ｄ）に示すように、同一形状であって、その下縁中央部に上向き三角状の切り欠き２１ａ、２２ａ、２３ａを形成し、その切り欠き２１ａ、２２ａ、２３ａの側縁をそれぞれ縫合して男性陰茎が収まる膨出部２５を形成する。
【００２８】
防水布２２は、同様に、同図（ｂ）に示すように、その凹条側縁２２ｂが他の布２１の凹条側縁２１ｂに対し曲率が緩やかになっており、その側縁２１ｂの長さが表布２１等の側縁２１ｂの長さと同一とされるとともに、上下縁中央間の長さが表布２１等の上下縁中央間の長さと同一とされ、さらに、その下縁の長さが表布２１等の下縁の長さより長くしてある。このため、吸水布２３の下縁にこの防水布２２の下縁をいせ込み等によって縫合することによって吸水布２３等の膨出部２５に沿う膨出部２５’が防水布２２にも形成される。
【００２９】
この後、その防水布２２の表面に表布２１、吸水布２３の裏面に裏布２４をあてがい、各布２１、２２、２３、２４の周縁を縫合することによって４層の前身頃２０が形成される。
このようにして前身頃２０を形成し、表布２１と同一素材の後身頃布１１をそれらの側縁で縫合し、さらにウエストバンド１４を縫合して、この実施形態の男性用失禁ショーツ１０１を得る。このとき、上記と同様に、上記前身頃２０の下縁を除く各布周縁の縫合は後身頃布１１の周縁との縫合を兼ねることもできる。
【００３０】
この失禁ショーツ１０１は、従来と同様にして使用し、同様に、その使用者が失禁すると、膨出部２５内に位置する陰茎先端から尿が放出され、その放出位置は、通常、防水布下縁の縫合線部ａより上位であるため、その放出された尿は、その縫合線部ａに至るまでに吸水布２３によって吸水される。このため、前記放出された尿は防水布２２によって表布２１への滲み出しが有効に防止される．
【００３１】
上記各失禁ショーツ１０、１０１は、男性陰茎の取り出し口のないものであったが、この発明は、図１２に示す、その取り出し口３０を形成したショーツ１０２においても採用することができる。この場合、上記前身頃２０の４層構造は、肌に接する裏布部３１に形成したり、表布部３２に形成したりすることができる。このとき、男性陰茎が収まる膨出部２５はその表布部３２及び裏布部３１の両者に設けることは勿論である。また、その表布部３２及び裏布部３１の両者で上記前身頃２０の４層構造とすることもできる。
【００３２】
これらの図９、図１２に示す失禁ショーツ１０、１０１においても、図６〜図８に示す防水布２２、吸水布２３の構成を採用できることは勿論である。
【００３３】
なお、この発明の失禁ショーツは、図１、図９、図１２において、前身頃２０が特徴であり、他の形状（後身頃など）は任意である。
このように、この発明の範囲は、上記実施の形態に限定されず、特許請求の範囲によって示され、特許請求の範囲と均等の意味および範囲内でのすべての変更が含まれることが意図される。
【符号の説明】
【００３４】
１０、１０１、１０２  男性用失禁ショーツ
１１  後身頃布
１２  股布
１４  ウエストバンド
２０  前身頃
２１  前身頃の表布
２２  同防水布
２３、２３１、２３２  同吸水布
２４  同裏布（肌側布）
２１ａ、２３ａ、２４ａ  切り欠き
２５、２５’  膨出部
ａ  ギャザー
【図１】
0005774411.tif 000002
【図２】
0005774411.tif 000003
【図３】
0005774411.tif 000004
【図４】
0005774411.tif 000005
【図５】
0005774411.tif 000006
【図６】
0005774411.tif 000007
【図７】
0005774411.tif 000008
【図８】
0005774411.tif 000009
【図９】
0005774411.tif 000010
【図１０】
0005774411.tif 000011
【図１１】
0005774411.tif 000012
【図１２】
0005774411.tif 000013